(57)【要約】【目的】酸化体質の改善、血流血行の促進、ダイエットの促進、鎮痛作用、疲労回復、体脂肪の低減、こり、痛みの改善（肩、腰）、リラクゼーションの発現、集中力向上、精神安定促進、及び安眠実現等の体調改善が、体表面あるいは車のシート、寝具等に貼るだけで実現でき、かつ発疹、発赤（腫脹）、かゆみ等の好ましくない副作用症状を起こさないシール材等の材料を提供することである。【手段】炭素材、ミネラル成分、および抗酸化物を含有するシール材等の材料による。さらに炭素材としては焼成もみ殻、竹炭等の植物性由来のものであり、ミネラル成分がナトリウム、カリウム等のアルカリ金属、カルシウム、マグネシウム等のアルカリ土類金属、リンであり、前記抗酸化物がポリフェノール、ビタミン類、アミノ酸類、亜鉛、セレニウム等の金属イオン、カロチノイド等の植物含有色素等であるシール材等の材料による。【特許請求の範囲】
【請求項１】
体調を改善することを目的に使用するシール材等の材料であり、炭素材、ミネラル成分、および抗酸化物を含有することを特徴とするシール材等の材料。
【請求項２】
前記炭素材が焼成もみ殻、竹炭、木炭，活性炭等の黒鉛，非黒鉛炭素材料であることを特徴とする請求項１記載のシール材等の材料。
【請求項３】
前記ミネラル成分がナトリウム、カリウム等のアルカリ金属、カルシウム、マグネシウム等のアルカリ土類金属、リン等の深層海洋水含有のミネラルであることを特徴とする請求項１記載のシール材等の材料。
【請求項４】
前記抗酸化物がポリフェノール類、植物含有エキス、ビタミン類、アミノ酸類、カロチノイド等の植物含有色素であることを特徴とする請求項１記載のシール材等の材料。
【請求項５】
重圧化石サンゴを含有することを特徴とする請求項１記載のシール材等の材料。
【請求項６】
焼成もみ殻含有の水溶液を炭素材料に含浸させ、乾燥後にその含浸物にさらに深層海洋水含有のミネラル成分を含んだ水溶液を含浸、乾燥させ、それを糊材と混合し、基材に塗布したことを特徴とする請求項１記載のシール材等の材料の製造方法。
【発明の詳細な説明】
【０００１】
【発明の属する技術分野】
体表面あるいは車のシート、寝具等に貼るだけで体調が改善される健康増進用のシール材等の材料に関するものである。
【０００２】
【従来の技術】体表面に貼るだけで、血流血行の促進、鎮痛作用、疲労回復、こり、痛みの改善（肩、腰）等の体調を改善する目的のシール材等の材料は種々提案されている。たとえば、日本ＭＪＰ株式会社からは「樹液シートＷ」と称し、ブラジル産「ユーカリの樹木」より有効な成分を抽出・粉末化したものに、免疫力を高めるブラジル産の無農薬「アガリクス茸」と、マイナスイオン・遠赤外線を豊富に放射し、血行を良くする天然鉱石「貴宝石」のパウダーを配合し、効力を高めたシール材等の材料が発売され、肩・首すじのコリを改善すると述べられている。また、メタドールエックスと称するシール材等の材料は、粘着テープに固定された逆ピラミッド型の接触針を有し、患部に刺激を与えることで肩・首すじのコリを改善すると述べられている。しかし、これらのシール材等の材料はその効力が発揮される症状の種類が少なく、また効果が不十分であり、さらには人によっては発疹、発赤（腫脹）、かゆみ等の好ましくない副作用症状を起こすことがあり改善が求められていた。
【０００３】
【発明が解決しようとする課題】酸化体質の改善、血流血行の促進、ダイエットの促進、鎮痛作用、疲労回復、体脂肪の低減、こり、痛みの改善（肩、腰）、リラクゼーションの発現、体内イオンバランスの改善、集中力向上、精神安定促進、安眠実現等の体調改善が、体表面あるいは車のシート、寝具等に貼るだけで実現でき、かつ発疹、発赤（腫脹）、かゆみ等の好ましくない副作用症状を起こさないシール材等の材料を提供することである。
【０００４】
【課題を解決するための手段】本発明者は下記の手段により、上記の課題が達成されることを見出した。（１）体調を改善することを目的に使用するシール材等の材料であり、炭素材、ミネラル成分、および抗酸化物を含有するシール材等の材料による。（２）また、前記炭素材が焼成もみ殻、竹炭、木炭，活性炭等の黒鉛，非黒鉛炭素材料である前項（１）記載のシール材等の材料による。（３）また、前記ミネラル成分がナトリウム、カリウム等のアルカリ金属、カルシウム、マグネシウム等のアルカリ土類金属、リン等の深層海洋水中のミネラルである前項（１）記載のシール材等の材料による。（４）また、前記抗酸化物がポリフェノール類、植物含有エキス、ビタミン類、アミノ酸類、カロチノイド等の植物含有色素である前項（１）記載のシール材等の材料による。（５）重圧化石サンゴを含有する前項（１）記載のシール材等の材料による。（６）焼成もみ殻含有の水溶液を炭素材料に含浸させ、乾燥後にその含浸物にさらに深層海洋水含有のミネラル成分を含んだ水溶液を含浸、乾燥させ、それを糊材と混合し基材に塗布する前項（１）記載のシール材等の材料の製造方法。
【０００５】本発明におけるシール材等の材料とは、基材にある成分組成の材料を塗布、付着、担持させたもの、あるいは基材を用いずにある層を構成し得る材料に混合し、塗布、接着等の方法により人体、衣服、包帯等の医療用品、おむつ、生理用品等の衛生用品、寝具、建材、住居内装材、家具、車の内装部品等に担持し得るものを示す。例えば、糸、繊維に練り込みコーティング等ににより定着、担持させるもの、プラスチックス等の合成高分子材料、天然高分子材料あるいは天然もしくはシリコンゴム、ＳＢＲ等の合成のゴム材料、に混合、分散した材料、塗料あるいはインキが挙げられる。
【０００６】炭素材とその他の混合物を混合したシール材（糊）を、繊維、不織布、ポーラス構造物へコーティング及び含浸加工し、これを人体に適する微弱電位差放電の発生極性と選択的遠赤外線の放射機能性が発生するように改質し、人の体表面あるいは車のシート、寝具等に貼る炭素シールとして使用する事で、体内のミネラルを含む血液、体液、及び細胞内水分に対して外部の遠赤外線エネルギーにより単分子ミネラル水の状態にし、さらに人体微弱電流や炭素シールからの微弱放電により体内の単分子状態のミネラル水を有効なマイナスイオン優位のイオンバランス水として作る事ができる。また、抗酸化物により鎮痛と体内抗酸化力をもたらす。この体内からのエネルギー放射により、体内においてマイナスイオンの直接生成と抗酸化力を付与する事ができる炭素シール材等の材料による。
【０００７】本発明に用いられる炭素材としては、焼成もみ殻、竹炭、木炭、活性炭等の黒鉛炭素材料、及び非黒鉛炭素材料が好ましく、特に焼成もみ殻、竹炭が好ましい。
【０００８】本発明に用いられるミネラル成分としては、深層海洋水中のミネラル成分はいずれも好ましく用いられるが、ナトリウム、カリウム等のアルカリ金属、カルシウム、マグネシウム等のアルカリ土類金属、リンが好ましく、カリウム、ナトリウム、マグネシウムがより好ましい。
【０００９】本発明に用いられる抗酸化物としては、ポリフェノール類、植物含有エキス、ビタミン類、アミノ酸類、カロチノイド等の植物含有色素等が好ましい。ポリフェノール類あるいは植物含有エキスとしては、プロトシアニン類、緑茶、ブドウ、ナス、ソバ等に含まれるフラボノイド、緑茶に含まれるカテキン、カキ、緑茶、赤ワイン等に含まれるタンニン、赤ワイン、ココア、タマネギ、ブロッコリー等に含まれるケルセチン、ブルーベリー、イチゴ、ナス等に含まれるアントシアニン、大豆、そら豆などの豆類に含まれるイソフラボン、そば等に含まれるルチン  、コーヒー等に含まれるクロロゲン酸  、タマネギ等に含まれるケルセチン、むらさき芋等に含まれるアントシアニン、カカオ豆に含まれるカカオマスポリフェノール等、そばポリフェノールのルチン、プロアントシアニジン類、アッサミカイン類、加水分解型タンニン等のタンニン類、フラボン、フラボノール、フラボン配糖体等がある。ビタミン類としては、ビタミンＥ、ビタミンＣ、ビタミンＡ等がある。ユビキノール、カロテノイド（β−カロテン、リコピン）などの脂溶性抗酸化物と、尿酸、アルブミンなどの水溶性抗酸化物、エキナセアエキス、キバナオウギエキス、ニンニクエキス、イチョウ葉エキス等の抗酸化ハーブ類、ＮＡＣ（Ｎ−アセチル−システイン）、Ｌ−グルタチオン等の抗酸化アミノ酸、特にカロチノイド（体内でビタミンＡに変わる）、リコペンのような植物色素等のフィトケミカル（植物化学物質）、補酵素コエンザイムＱ１０、グルタチオン、抗酸化酵素（ＳＯＤ）、リコペン、あるいは金属ポルフィリン錯体が挙げられる。これらの中ではポリフェノール、植物含有エキス、ビタミン類が好ましく、さらにポリフェノール、植物含有エキスが好ましく、特にポリフェノール類が好ましく、プロアントシアニジンを多く含むものが最も好ましい。
【００１０】本発明のシール材等の材料の効果の反応機構は明確ではないが、本シール材等の材料の組成、構成と反応機構の関係は以下のように考えられる。体調改善には体内にマイナスイオンを生成することが好ましく、そのマイナスイオン生成のエネルギーとして、遠赤外線特定波と微弱電位差放電が有効である。さらに遠赤外線の各波長域による放射性の様態と微弱電位の数値の関係が重要となるとして、これらの数値を特定する研究をおこなった。放射性の様態は、遠赤外線エネルギー授受の関係において、遠赤外線の吸収体側である体内の血液、体液や細胞の持つ固有の波長振動と共鳴できる事が重要であると思われる。この固有波長振動の解明には、人の血液中ミネラル（血清を除く）のＦＴＩＲ測定による解析研究をおこない炭素シール材等の材料中のミネラルがその波長に共鳴すると考え、共鳴し易いミネラルを選定した。
【００１１】これらの条件を満たす素材として、海洋に生息した海洋型生命体（例えば重圧化石サンゴ）を調査した結果、人体の体液ミネラルイオン水が持つ電磁波の固有波長振動と細胞の生命電気エネルギーがほぼ一致する事が判明し、物性条件から素材に海洋プランクトン化石と海水を選定し、下記の遠赤外線セラミック水性液状化加工技術により固体ミネラルを液状化し、用いた。ただし、これらに必ずしも限定されるものではない。
【００１２】この液状化セラミックを下記の方法で活用し、炭素材に定着させて、人体と適応する電気的物性を再現させ、結果的に体内に直接有効なマイナスイオンを発生させる事により上記の課題を達成することができる。
【００１３】まず炭素を加工し、シール材（糊）と混合、貼り合せ、繊維、不織布、ポーラス構造物へのコーティング及び含浸加工をした。これにより、遠赤外線放射性を潜在的にもつ素材となったと推定している。この炭素材の表面に焼成もみ殻を以下の方法で定着させた。この目的は、炭素だけでは、人体のミネラルを含有する体液、血液、細胞が分子レベルとして効率的に遠赤外線を吸収し振動することが必ずしも十分ではないので、ミネラル成分を混合するが、炭素材のみではミネラル成分の定着性がやや不十分であり、焼成もみ殻を炭素表面に定着させた方がより好ましい。
【００１４】焼成もみ殻を超音波振動子凸型の伝達版と、凹型の固定版で挟み込み１／１０００ｍｍから５／１０００ｍｍの振幅で、数秒間振動させて焼成もみ殻を適度に破砕し、微粉末とする。固定版は、１／１００ｍｍ間隔程度の線状痕が付いた固定版であり  焼成もみ殻微粉末の断面はハニカム状炭素配列の外観状態となる。このハニカム状炭素配列の焼成もみ殻微粉末を、上記の遠赤外線水性液状化セラミックと混ぜて焼成成分５重量％の混合液を作り、撹拌を繰り返しながら遠赤外線の放射による分子振動を一定期間継続させて、混合液中のもみ殻焼成微粉末を更に微細な炭素微粒子とし、これをフイルター（５００メッシュ以上）で選択的に取り出す。取り出した水溶液中の炭素微粒子は、数ミクロンでありドーナツ状配置の炭素微粒子に人体の体液血液細胞と類似したミネラル構成の液状セラミックが定着する形となる。
【００１５】この炭素微粒子は、別途の遠赤外線放射粒状物（特開２００２−１４６３３６号）が水溶液状化したセラミックであり、炭素微粒子の空孔内に液化した遠赤外線放射体が侵入して固体化したものである。この炭素微粒子周囲にも液状セラミックが取り巻き、炭素材へコートの際に適度の間隔をもって液化セラミックが炭素材表層に分散する事になる。
【００１６】この時点で炭素材は極性をもつ。この極性の性格は、電子誘電体として人体と同じ微弱電場を作り、人体に対して適度の電気的活性を与える。
これを、炭素材表層に分散して定着する炭素微粒子のドーナツ状分子配置との結合集成カルシウム等ミネラルイオン微粒子とする。配合されるミネラルは、カリウム  ナトリウム  リン  マグネシウムである。この微粒子は、水溶液中に存在し遠赤外線の分子振動により分子原子の結合角が変化して基本的に透明化する。この微粒子は、炭素材に水溶液としてコートし、乾燥後イオン結合して定着する。
【００１７】定着後の微粒子の分散相互の間隔は、おおよそ０．５μｍ程度であり、そのため非常に大きな電場が発生する。これにより、人体と類似したミネラル組成により、体内と共鳴できる遠赤外線の波長を放射し体内に吸収される関係が成立する。
【００１８】本発明のシール材等の材料に用いられる基材は特に限定されないが、布基材、ポーラス構造物が好ましく、布基材としては天然繊維や人造繊維のいずれも使用可能である。布基材は不織布、織物、フェルト、編み物いずれのものも好ましいが、特に不織布が好ましい。
【００１９】前記天然繊維としては、例えば綿花、カポック、亜麻、ラミー、大麻、黄麻、しゅろ、マニラ麻、サイザル麻、コイヤー・ファイバー等の植物繊維、家蚕絹、柞蚕絹、羊毛（緬羊）、カシミア毛、ラクダ毛、アルパカ毛、モヘヤー、兎毛等の動物繊維が挙げられる。
【００２０】又、前記人造繊維としては、例えば人絹糸、スフ、ビスコース、ベンベルグ（登録商標）等の再生繊維、又はポリアミド系繊維（ナイロンなど）、ポリエステル系繊維（テトロン（登録商標）、テリレン、デークロン（登録商標）など）、ポリアクリル系繊維（オーロン（登録商標）、エクスラン（登録商標）、ボンネル（登録商標）、カシミロン（登録商標）、カネカロン（登録商標）など）、ポリビニール・アルコール系繊維（ビニロン）、ポリアルキレンパラオキシベンゾエート系繊維（ベンゾエート）、柞蚕絹、羊毛（緬羊）、カシミア毛、ラクダ毛、アルパカ毛、モヘヤー、兎毛等の動物繊維が挙げられる。
【００２１】又、前記人造繊維としては、例えば人絹糸、スフ、ビスコース、ベンベルグ（登録商標）等の再生繊維、又はポリアミド系繊維（ナイロンなど）、ポリエステル系繊維（テトロン（登録商標）、テリレン、デークロン（登録商標）など）、ポリアクリル系繊維（オーロン（登録商標）、エクスラン（登録商標）、ボンネル（登録商標）、カシミロン（登録商標）、カネカロン（登録商標）など）、ポリビニール・アルコール系繊維（ビニロン）、ポリアルキレンパラオキシベンゾエート系繊維（ベンゾエート）、ポリウレタン系繊維（ポリウレタン）［スパンテックス］、ポリ塩化ビニリデン系繊維（ビニリデン）、ポリ塩化ビニル系繊維（ポリ塩化ビニル）、ポリアクリロニトリル系繊維、ポリエチレン系繊維（ポリエチレン）、ポリプロピレン系繊維（ポリプロピレン）、ポリクラール、ポリプロピレン系（パイレン（登録商標））等の合成繊維、或いは酢酸人造繊維などのように天然物質と合成物質とを共重合して製造した半合成繊維等が挙げられる。
【００２２】本発明のシール材等の材料の製造方法は以下の通りであるが、これに限定されるものではない。焼成もみ殻を超音波振動子凸型の伝達版と、凹型の固定版で挟み込み１／１０００ｍｍから５／１０００ｍｍの振幅で、数秒間振動させて焼成もみ殻を適度に破砕し、微粉末とした。固定版は、１／１００ｍｍ間隔程度の線状痕が付いた固定版であり、この操作により焼成もみ殻微粉末の断面はハニカム状炭素配列の外観状態となる。この処理済みの焼成もみ殻微粉末と重圧化石サンゴを８重量％含んだ水溶液を混合し遠赤外線水性液状化セラミック分散液を得た。この水性分散物を竹炭に含浸させ、乾燥させた。この竹炭を深層海洋水と抗酸化物であるプロアントシアニジンを含有する液に含浸し、乾燥後に糊材と混合し、不織布に塗布して本発明のシール材等の材料を得た。
【００２３】本発明のシール材等の材料の使用方法は特に限定されないが、例えば手足、腰、肩、腹部、背中、頭、顔等の人体に直接貼付する方法、車のシート等の内装品、住居の内装品、家具、寝具、衣類、靴、手提げバック、包帯等の医療用品、おむつ、生理用品等の衛生用品、等に貼付する方法がある。さらには、アウトウェアー（肩パット）、インナーウェアー（ガードル、ショーツ、ブラジャー）、スポーツウェアー（水着も含む）、サポーター（バンド、包帯）、帽子、ヘアーバンド、ヘッドベルト、寝具（シーツ、タオルケット、毛布、布団、枕、枕カバー）、車のシート材（ヘッドレスト、椅子、ソファー）が挙げられる。
【００２４】
【作用】本発明のシール材等の材料を体表面あるいは車のシート、寝具等に貼った場合の健康上の効果としては、酸化体質の改善、血流血行の促進、ダイエットの促進、鎮痛作用、疲労回復、体脂肪の低減、こり、痛みの改善（肩、腰）、リラクゼーションの発現、体内イオンバランスの改善、集中力の向上、精神安定促進、安眠実現がある。
【００２５】本発明のシール材等の材料の作用を具体例で説明する。これらに本発明が限定されるものではない。
例１．冷え症の３５才の女性の両足の裏に、本発明のシール材等の材料の大サイズサンプル（径３０ｍｍ）と小サイズサンプル（径２０ｍｍ）を各１枚貼った。シール貼付後７時間で、足裏、脛、膝が温かく感じられた。翌日も風呂に入った際に、シール貼付前に比べお湯の熱さをあまり強く感じなかった。さらに、４日ごとに本シール材等の材料を取り替え、２７日経過後に、冷え、腰、肩の痛みを全く感じず、また便通も順調になった。
例２．だるさを良く感じる５３才の男性の両肩に、例１の場合と同様に本発明の大小のシール材等の材料を各１枚貼付した。３時間後にやや肩こりが軽減した。２４時間後には肩こり、だるさをほとんど感じなくなった。本シール材等の材料を３〜４日ごとに取り替え、３５日経過後には肩こり、だるさを全く感じなくなった。
例３．古傷の膝の打撲の痛みに悩まされていた６１才の男性の痛みのある膝に、例１に用いた本発明のシール材等の材料の大サイズを３枚貼付した。８時間後には膝が温かくなり、痛みがだいぶ軽くなった。シール材等の材料を取り替え、約８０日経過後にシール材等の材料の貼付を止めた。その後更に３０日以上経過しても痛みを感じなかった。
以上のように本発明のシール材等の材料は、冷え症、肩こり、膝の痛みの軽減に効果があり、好ましかった。
【００２６】例４．痩せたい願望を持っていた５０才の女性のへそ、へその上側、及びへその下側に本発明の大サイズシール材等の材料を１枚ずつ貼った。いつもは、排尿の回数が少ないにも拘わらず、貼ってから１５分後に排尿があった。さらに、４５分後にも排尿があり、お腹がごろごろ鳴った。２時間後にはいつものような足の冷えがなくなった。貼る前は体脂肪率が２３．５％であったが、貼ってから１日後には体脂肪率が２０．５％になった。
例５．軟骨に触れると激痛が走った６０才の男性は、温湿布、針灸、磁気テープ、通院等を繰り返していたが直らなかった。本発明のシール材等の材料を５０ｍｍ×１２０ｍｍサイズに加工し、軟骨部に貼った。１日後にやや痛みが減少し、５日後には痛みをほとんど感じなくなり、１４日後には痛みが全くなくなり、軟骨のしこりの様な違和感もなくなった。１６日後には違和感も、痛みも全く感じなくなった。
例６．腰痛、肩こりがひどい３５才の男性の両腰に、本発明の大シール材等の材料を各４枚ずつ計８枚貼った。１日後には腰痛、肩こり共に大幅に改善した。具体的には、椅子から立ち上がる時に、従来のような痛みがほとんど無くなった。また、階段の上がり、降りにも痛みを感じなくなった。２日後に両腕に本発明の大シール材等の材料を各４枚ずつ、計８枚貼った。４日後には肩こりを全く感じなくなった。ただし、指で強く押すと少し違和感を感じた。１６日後には肩、腰共に良好であった。
例７．パソコンを良く使う事務職の４２才の女性は、倦怠感が強く、午後２時頃には疲れを感じ、視力が低下する感じであった。午前９時に両足の裏に本発明の小シール材等の材料を２枚ずつ、首筋の両側に１枚ずつ貼った。５時間後の午後２時には視力の低下と疲れを感じなかった。その日の夜にはいつものような手足の冷えがなかった。翌日には、体が軽く感じられ、便通も良好であった。
このように、冷え症、肩こり、腰痛、だるさ、疲れ、及び痛みを軽減、完治し、さらには、ダイエット効果もあり、好ましかった。また、例１から例７の全てにおいて、本発明のシール材等の材料を貼付したことによる発疹、発赤（腫脹）、かゆみ等の好ましくない副作用症状を起こすことがなかった。